(57)【要約】【課題】テーブル型の筐体構造を有する回胴式遊技装置であって、遊技者が操作による疲労を感ずることなく、しかも、遊技情報表示部と操作手段の位置とを近設することによって、その間での、目線の移動を少なくし、眼精疲労や首筋に疲労が蓄積されることもなく、更に、表示装置の操作も容易に行うことができる遊技装置を提供するものである。【解決手段】垂直方向に配置された遊技情報面と水平方向に形成された図柄表示面を有するＬ字状の遊技情報表示部を上部に設けた筐体と、該筐体に収納された遊技ユニットを有する回胴式遊技装置であって、筐体は、前記遊技情報面方向に上向きに傾斜した開口を有する遊技ユニット収納部と、図柄表示面を形成し、開口を開閉する開閉蓋と、開口の前縁に配置され、筐体から遊技者側に突出した操作テーブルと、筐体上面に配設された表示装置を備えたものである。【選択図】  図１
2004358144.tif 000002
【特許請求の範囲】
【請求項１】
垂直方向に配置された遊技情報面と水平方向に形成された図柄表示面を有するＬ字状の遊技情報表示部を上部に設けた筐体と、該筐体に収納された遊技ユニットを有する回胴式遊技装置であって、
前記筐体は、前記遊技情報面方向に上向きに傾斜した開口を有する遊技ユニット収納部と、
前記図柄表示面を形成し、前記開口を開閉する開閉蓋と、
前記開口の前縁に配置され、前記筐体から遊技者側に突出した操作テーブルと、
前記筐体上面に配設された表示装置を備えた
ことを、特徴とする回胴式遊技装置。
【請求項２】
請求項１項に記載の回胴式遊技装置において、
前記回胴式遊技装置の側面に略同一レベルの高さを有する遊技媒体貸出装置を配設するとともに、
上面に前記表示装置を配設した
ことを特徴とする、回胴式遊技装置。
【請求項３】
請求項１並びに請求項２項に記載の遊技装置において、
前記表示装置は、運転表示部と呼出ランプを有する
ことを特徴とする、回胴式遊技装置。
【請求項４】
請求項１項乃至請求項３項に記載の遊技装置において、
前記表示装置は、データ表示部と、
前記呼出ランプの操作スイッチを備えた
ことを特徴とする、回胴式遊技装置。
【請求項５】
請求項１項乃至請求項３項に記載の遊技装置において、
前記表示装置を前記筐体上面と前記遊技媒体貸出装置の上面のいずれか一方に配設した
ことを特徴とする、回胴式遊技装置。
【発明の詳細な説明】
【０００１】
【発明の属する技術分野】
本発明は、スロットマシンやパチスロ機等に代表される回胴式遊技装置に関する。
【０００２】
【従来の技術】
一般的に、回胴式遊技装置では、遊技者が遊技媒体（例えば、メダル）の賭数を設定し、スタート操作すると、外周に図柄列が描かれた三つのリール部材が回転し、図柄を可変表示する。その後にストップ操作を実行すると、その操作に応じて各リール部が回転を停止し、その停止時に表示される図柄によって遊技結果が決定される。そして、各リール部の表示図柄が所定の組合せに並ぶと入賞となり、遊技者に対して、設定された賭数および入賞内容に応じた枚数の遊技媒体が払い出される。
【０００３】
ところで、回胴式遊技装置の中には、遊技者が疲労せずに長時間の遊技が行えるようにすべく、テーブル型の筐体構造を有したものがある。（例えば、特許文献１参照）この種のテーブル型の筐体構造を有した回胴式遊技装置では、遊技者側に突出した操作テーブルの上、即ち、水平パネル面上に、遊技者が操作するための操作部（リール起動スイッチやリール停止スイッチ等）が配置されている。これにより、遊技者は、操作テーブル上に腕を載せた状態で操作部を操作することができ、長時間の遊技を行っても疲労感が生ずることなく遊技を楽しむことができる。
【０００４】
この出願の発明に関連する先行技術文献としては次のものがある。
【特許文献１】
特開２００１−７９１３９号公報
【０００５】
【発明が解決しようとする課題】
しかしながら、従来のテーブル型の筐体構造を有した回胴式遊技装置は、操作部を遊技者側に配置し、遊技者に操作上の配慮がなされていたが、運転表示ランプ３、配当表示パネル４（いずれも、特許文献１、図３に示す）並びにリール表示部５のいずれもが遊技者の正面に垂直に配置されている。このため、遊技者は、操作部の位置を確認し、遊技を操作する時と、リール表示部５で表示画面を確認するときの間では、目線の移動が必要となり、眼精疲労や首筋の疲労の要因となる恐れが有った。また、運転表示ランプ３は、配当表示パネル４の上部に配置されており、遊技者が係員を呼び出そうとしてスイッチを操作する場合に立ち上がるか、または、中腰になる必要があり、煩わしさに加え、疲労感を増加させる要因になっていた。尚、一般的に、前述の運転表示ランプ３（呼出ランプ等）は、不正行為防止の観点からなるべく筐体とは、別に設け、単に筐体上に配置するだけというのが望まれている。
【０００６】
本発明は、上記の問題を解決するためになされたものであり、その目的は、テーブル型の筐体構造を有する回胴式遊技装置であっても、遊技者が操作による疲労を感ずることなく、しかも、操作部（操作手段）の位置と、リール表示部（図柄表示面）と表示パネル（遊技情報面）との間での、目線の移動を少なくし、眼精疲労や首筋に疲労が蓄積されることもなく、更に、運転表示ランプ３（表示装置）の操作確認も容易に行うことができる回動式遊技装置を提供するものである。
【０００７】
【課題を解決するための手段】
上記課題を解決するため、本発明においては、垂直方向に配置された遊技情報面と水平方向に形成された図柄表示面を有するＬ字状の遊技情報表示部を上部に設けた筐体と、該筐体に収納された遊技ユニットを有する回胴式遊技装置であって、筐体は、遊技情報面方向に上向きに傾斜した開口を有する遊技ユニット収納部と、図柄表示面を形成し開口を開閉する開閉蓋と、開口の前縁に配置され、筐体から遊技者側に突出した操作テーブルと、筐体上部に配設された表示装置を備えたものである。
【０００８】
このため、筐体に形成した開口を遊技情報面方向に４５°以下の緩い上向きに傾斜にさせることによって、筐体の高さも低くなり、図柄表示面は、操作手段に対して斜め上方に配置し、操作手段との高低差が少なくなり、遊技者が自然な姿勢で、操作手段を見ると、その斜め上方に図柄表示面が位置することになり、特に、目線を大きく移動させることなく、遊技者の視界範囲内に図柄表示面と操作手段が含まる。しかも、椅子に座った遊技者の正面に遊技情報面が表示されるため、大きく目線を移動させることなく遊技情報表示面の情報を確認することができる。さらに、低くなった筐体の上方のスペースに表示装置、或いは呼出ランプ等を配設することによって、遊技者が表示装置（呼出ランプ等）を使用する際も、また、周囲の者からの確認も容易である。
【０００９】
次の発明は、回胴式遊技装置の側面に略同一レベルの高さを有する遊技媒体貸出装置を配設するとともに、上面に表示装置を配設したものである。
【００１０】
このことにより、背の低い遊技媒体貸出装置をセットで配置することができ、遊技者は移動することなく、遊技媒体（メダル等）の供給を受けることが可能となるばかりか、表示装置の操作、確認も容易となる。
【００１１】
更に、次の発明は、表示装置は、運転表示部と呼出ランプを有する構成としたものである。
【００１２】
このことにより、ホール係員が、運転状況の確認とともに、遊技媒体貸出装置におけるメダル切れ予告等の警告表示も容易に確認することができる。
【００１３】
更に、次の発明は、表示装置は、データ表示部を設けるとともに、呼出ランプの操作スイッチを備えたものである。
【００１４】
このことにより、競技者の目線の範囲にデータ表示部が位置し、周囲の者に加え、遊技者自体も容易にデータ確認ができる。
【００１４】
該表示装置を筐体上面と前記遊技媒体貸出装置の上面のいずれか一方に配設したものである。
【００１５】
このことにより、表示装置の簡略化が可能となり、コスト上有利である。
【００１６】
【発明の実施の形態】
以下、本発明の好ましい実施形態を、図面に基づいて説明する。図１は、本発明の回胴式遊技装置の開閉蓋を開いた状態を示した斜視図、図２は、本発明の回胴式遊技装置と遊技媒体貸出装置をセットした状態の斜視図、図３は、表示装置の一例を示した斜視図、図４は、表示装置の他の例を示した正面図である。
【００１７】
本発明の回胴式遊技装置１は、垂直方向に配置された遊技情報面２１と水平方向に形成された図柄表示面２２を有するＬ字状の遊技情報表示部２０を上部に設けた筐体１０と、該筐体１０に設けられた、遊技情報面方向に上向きに傾斜した開口３１を有する遊技ユニット収納部３０と、該遊技ユニット収納部３０に収納された遊技ユニット４０と、図柄表示面２２を形成した開閉蓋５０と、開口３１の前縁に配置され、筐体１０から遊技者側に突出した操作テーブル６０と、筐体１０の上面に配設された表示装置７０とより構成されている。
【００１８】
以下、本発明の回胴式遊技装置１で言うテーブル型とは、筐体１０の前面から遊技者側に突出した操作テーブル６０を備えた構成を総称する。
【００１９】
筐体１０は、底板１１と側板１２，１２′と天板１３と面板１４と裏板（図示しない）を有する箱状をなし、その箱状の上部を側面矢視Ｌ形状に切り欠くようにして、その部分に垂直方向に伸びた立壁１５と、水平方向に前方下側に伸び、上方に開放された開口３１を有する遊技ユニット収納部３０を設けている。
【００２０】
立壁１５には、遊技情報面２１が形成され、前述の開口３１には、立壁１５の下縁に枢支された開閉蓋５０が枢支されている。この開閉蓋５０には、中央部にリール部４２の図柄を除くための、表示窓５１が形成され、その周囲に図柄表示面２２が描かれている。これらの、遊技情報面２１と図柄表示面２２により、遊技情報表示部２０を構成している。
【００２１】
遊技情報面２１には、図２に示すように、遊技者に対する情報表示を行うための表示部として機能する第一表示パネル２１ａおよび第二表示パネル２１ｂが設けられている。第一表示パネル２１ａおよび第二表示パネル２１ｂは、いずれも例えば液晶表示パネルからなるものであるが、第一表示パネル２１ａが遊技媒体数に関する情報、すなわち遊技に必要となるメダル枚数に関する情報であるのに対し、第二表示パネル２１ｂには、遊技に関する情報、すなわち遊技を演出するための各種情報を表示するようになっている。尚、第一表示パネル２１ａおよび第二表示パネル２１ｂは、必ずしも個別に設ける必要はなく、一つの液晶表示パネルでそれぞれの機能を兼用すること、また、液晶表示パネルに代わってランプや音声表示の方法を用いることも可能である。
【００２２】
図柄表示面２２は、開閉蓋５０に形成されたリール表示窓５１の周囲に印刷或いはＬＥＤ等任意の方法で、当選役の組合せ等の情報が表示されている。
【００２３】
遊技ユニット収納部３０は、筐体１０の内部に形成され、上方に開放された開口３１を備えている。この開口３１は、遊技情報面２１側を高く、遊技者側を低くなるように形成されている、（およそ、水平方向に対して４５°の傾斜を有する。）そして、内部に遊技ユニット４０を収納するとともに、中の遊技ユニット４０が取り出せるように開閉蓋５０によって開閉される。
【００２４】
遊技ユニット４０は、回転軸を有するリール本体４１とそのリール本体４２の外周に嵌合した３つのリール部材４２とよりなり、遊技ユニット収納部３０の内部に回転可能に配置されている。このリール部材４２には、各々絵柄が印刷され、その組合せによって遊技を成立させている。
【００２５】
開閉蓋５０は、遊技情報面２１側を開口３１の端縁に枢支され、開口３１を開閉し、遊技ユニット収納部３０の内部に収納されている遊技ユニット４０を修理等必要時に出し入れを行う。この開閉蓋５０の中央には、素透しのリール表示部５１が形成され、このリール表示部５１からリール部材４２の絵柄を視認する。そして、この開閉蓋５０の隅には、コイン投入口５２が形成されている。このコイン投入口５２から投入された遊技媒体（コイン）は、筐体１０の内部に配置されている遊技媒体回収機構９０によって回収される。この開閉蓋５０は、開口３１の後縁３３を中心として、開口３１を開閉するように枢支されている。
【００２６】
操作テーブル６０は、筐体１０から遊技者側に突出して、開口３１に並設されている。そして、開口３１側の上面には、操作手段６２（リール起動スイッチやリール停止スイッチ等）が設けられ、先端部分には、保護パット６１が取付けられている。
【００２７】
このように、本発明の回胴式遊技装置１は、遊技ユニット４０の開口３１（図柄表示面２２）を遊技者側が下方になるように傾斜させることによって、遊技情報面２１と図柄表示面２２を（それらから成る遊技情報表示部２０）筐体１０の下方に配置させることができる。従って、遊技情報表示部２０と操作手段６２とが近くなるばかりか、筐体１０の高さも低くなる。このことによって、筐体１０の上方の空間が大きく取れる。尚、開口３１を水平にし、開閉蓋５０（図柄表示面２２）を傾斜させることも可能である。
【００２８】
筐体１０の上面の天板１３には、表示装置７０が取付けられている。この表示装置７０は、図３に示すように、呼出ランプ８０と、一般的に用いられているビック回数、レギュラー回数、ＭＴ回数、平均確率、ゲーム回数、払出枚数、獲得枚数等の情報を表示するデータ表示部７１と、運転表示ランプや遊技を演出するための点滅ランプ等が組合されたランプ表示部７２と、それらを操作する操作スイッチである呼出スイッチ８１、データ切替スイッチ７３が設けられている。（尚、これらの操作スイッチは、操作手段６２と同じ位置に、また、呼出スイッチ８１を遊技媒体貸出装置１００（図３参照  イ）に設けてもよい。とくに、本発明のように、回胴式遊技装置１の高さを低く抑えることによって、図示した各表示部を横方向に組合せて構成するのに代えて、前述の各種表示を積重して表示位置を高くすることが可能となり、ホール関係者或いは周囲の者へのアッピール効果を高まらせることができる。
【００２９】
図２は、前述の回胴式遊技装置１と、遊技媒体貸出装置１００とを組合せた構成を示したもので、遊技媒体貸出装置１００は、筐体本体１０の側板１２′に隣接され、回胴式遊技装置１の側面形状と合致する構成を有している。従って、回胴式遊技装置１の筐体１０同様に、遊技媒体貸出装置２の高さも低く抑えられている。
【００３０】
遊技媒体貸出装置１００の直立パネル面１０１には、所定のカード媒体が挿入されるカード挿入口１０２が設けられている。カード挿入口１０２に挿入されるカード媒体は、メダル枚数に関する情報を記憶するもの、さらに、詳しくはメダル枚数に関する情報の読み出しおよび書き込みを行うことが可能なものであればよく、具体的には磁気記憶カードやＩＣカード等が挙げられる。尚、カードに代えて紙幣を用いるタイプの遊技媒体貸出装置１００も同様に扱える。
【００３１】
そして、この遊技媒体貸出装置１００の上面１０３には、回動遊技機１と同様に、呼出ランプ８０を備えた表示装置７０が取付けられている。
【００３２】
これらの表示装置７０と呼出ランプ８０を独立させ、それを回胴式遊技機１或いは遊技媒体貸出装置１００の上面に各々配設すること、また、別に支柱を設け、その支柱に表示装置やランプ類を取付け、回胴式遊技装置１の上方から遊技者側に向けて表示することも可能である。要するに、テーブル型に回胴式遊技装置１を形成することにより、回胴式遊技装置１の上方にできた空間を有効利用することである。また、遊技媒体貸出装置１００と呼出ランプ８０を電気的に接続し、遊技媒体貸出装置１００内のホッパー（図示しない）のメダルの残量をセンサー等で検知し、自動的に呼出ランプ８０を点灯させることも可能である。
【００３３】
次に、以上のように構成された回胴式遊技装置１を使用した遊技の手順およびその際の回胴式遊技装置１の作動について、その概要を説明する。尚、ここでは、図２に示した遊技媒体貸出装置１００を並設した構成に、カード媒体を使用して遊技する場合を例に挙げて説明する
【００３４】
回胴式遊技装置１で遊技する場合、遊技者は、先ず、カード媒体をカード挿入口１０２に挿入する。この時、カード挿入口１０２は、遊技媒体貸出装置１００に直立パネル１０１に設けてあるため、その位置は、回胴式遊技装置１の高さが低くなるのに伴って低い位置に設けられている。従って、遊技者にとって視認が容易で、且つ、簡単に手が届く位置にあり、カード媒体の挿入が容易であり、しかも操作手段段６２の操作を阻害することもない。このように、遊技者は、カード挿入口１０２へのカード媒体の挿入に利便性を感じつつ、極めて容易に行うことができる。
【００３５】
そして、カード媒体の挿入があると、回胴式遊技装置１では、カードリーダが挿入されたカード媒体から、そのカードに記憶されている情報を読み出す。これにより、挿入されたカード媒体で、どの程度のメダル枚数に関する情報が記憶されているか、即ち、何枚分のメダルと等価であるかが分かる。
【００３６】
また、カード媒体に記憶されたメダル枚数が分かれば、回胴式遊技装置１では、そのメダル枚数について、第一表示パネル２１ａがデジタル表示を行う。この第一表示パネル２１ａに表示されたメダル枚数が、この回胴式遊技装置１での遊技のためにその回胴式遊技装置１内にクレジットされたメダル枚数となる。ただし、この時、カード媒体、に記憶された全てのメダル枚数ではなく、一部のメダル枚数のみを選択的に表示することも考えられる。例えば、１０００枚分のメダル枚数が記憶されたカード媒体が挿入された場合であっても、遊技者によるボタン操作等による指示を条件に、そのうちの一部である５０枚分を第一表示パネル２５ａにデジタル表示して、その５０枚分についてのみ遊技をおこなえるようにする、といったことも可能である。
【００３７】
このようなデジタル表示は、テーブル型の筐体本体１０に一体に立設された立壁１５に設けられた遊技情報面２１に表示されるが、筐体１０が低く形成されている関係上、この遊技情報面２１が、遊技者が座った状態の目線の範囲に向かう位置に配置され、特に、目線を移動させることなく容易に情報の確認がなされる。
【００３８】
また、第二表示パネル２１ｂに表示する情報としては、一日の遊技開始回数（スタート回数）、の累計と、その中の遊技結果が「大当たり」となった回数の累計等がある。尚、これらの情報に代えて、遊技を演出する動画、他のゲーム等遊技者が興味をもつものを表示することができる。
【００３９】
【発明の効果】
以上のように、本発明によれば、回胴式遊技装置をテーブル型の筐体構造にすることによって、筐体の高さが低くなり、しかもテーブルを設けることによって、遊技者の手元で遊技の操作ができ、操作による疲労感を軽減し、しかも、遊技情報表示部と操作手段の位置が比較的近くに配置され、遊技情報表示部と操作手段との間での、目線の移動が少なく、眼精疲労や首筋に疲労が蓄積されることもない。更に、筐体上面に表示装置を配設しても、その確認、操作を立ち上がることなく、容易に行うことができる。
【図面の簡単な説明】
【図１】本発明の回胴式遊技装置の開閉蓋を開放した状態を示した斜視図である。
【図２】本発明の回胴式遊技装置と遊技媒体貸出装置をセットした状態の斜視図である。
【図３】図３は、表示装置（呼出ランプ等）の一例を示した斜視図である。
【図４】表示装置の他の例を示した正面図である。
【符号の説明】
１…回胴式遊技装置
１０…筐体本体
２０…遊技情報表示部
２１…遊技情報面
２２…図柄表示面
３０…遊技ユニット収納部
３１…開口
４０…遊技格納ユニット
４１…リール本体
４２…リール部材
５０…開閉蓋
５１…リール表示窓
６０…テーブル
６２…操作手段
７０…表示装置
８０…呼出ランプ
【図１】
2004358144.tif 000003
【図２】
2004358144.tif 000004
【図３】
2004358144.tif 000005
【図４】
2004358144.tif 000006